(57)【特許請求の範囲】
【請求項１】
浴槽および洗い場を洗浄可能なように配置された少なくとも１つの水噴出ノズル部および洗剤噴出ノズル部を有し、前記水噴出ノズル部および洗剤噴出ノズル部は揺動および回転可能な先端部を有し、前記先端部は回転軸に対してほぼ垂直な平面に設けた軌道部に沿って回転しながら揺動する構成とした浴室の洗浄装置であって、前記先端部は、ばねによって径方向に傾くように付勢されると共に突出部が設けられ、この先端部の周方に配置された軌道部に該突出部が当接して揺動するように構成した浴室の洗浄装置。
【請求項２】
先端部と、先端部と共にモータにより回転される回転部材を支持する回転支持部材とを、該先端部が揺動しても水や洗剤が漏れないような弾性を有する接続ホースによりつないだ構成とした請求項１記載の浴室の洗浄装置。
【請求項３】
浴室の壁面の上部に設けられ、先端部の回転軸が斜め下方を向くような構成とした請求項１または２記載の浴室の洗浄装置。
【請求項４】
軌道部は浴槽および洗い場の形状に合わせて先端部が動くような形状にした請求項１ないし３のいずれか１項記載の浴室の洗浄装置。
【請求項５】
軌道部は、交換可能な構成とした請求項１ないし４のいずれか１項記載の浴室の洗浄装置。
【請求項６】
突出部を前記先端部に対して回転自在に設け、該突出部は先端部の方向とほぼ平行な軸を中心として回転する構成とした請求項１ないし５のいずれか１項記載の浴室の洗浄装置。
【請求項７】
水噴出ノズル部は水を扇状に噴出するように構成し、扇の広がり方向を回転方向とほぼ垂直になるように構成した請求項１ないし６のいずれか１項記載の浴室の洗浄装置。
【発明の詳細な説明】
【０００１】
【発明の属する技術分野】
本発明は浴槽、洗い場、壁、天井、ドア、窓などで構成される浴室ユニットにおいて、入浴した後、汚れなどを洗浄するための浴室の洗浄システムに関するものである。
【０００２】
【従来の技術】
従来、浴室の洗浄装置は実開平７−２７４６３号公報や特開平８−１６５８０８号公報などに記載されたものが知られている。
【０００３】
例えば前者は温水と洗剤を混合するミキシング部と水や洗浄液を噴出する噴出部とドアや窓の閉止を感知するセンサと噴出制御手段とから構成され、高温の温水や洗剤液が浴室内の人にかかったり窓や出入口から外部に飛散するのを防止するために考案されたものである。
【０００４】
また、後者は洗浄水吐水口に流す流量積算計を設け、給水圧が変動しても散水量を常に一定にし防水パンから水の溢れることのない自動洗浄装置となっている。
【０００５】
【発明が解決しようとする課題】
上記のような構成において、洗剤を浴室内に噴出し、その後水を散布しても隅々まで洗剤を行き渡らせることが出来ない場合があったり、水の力でも十分に汚れを落とせない場合があった。
【０００６】
【課題を解決するための手段】
本発明は上記課題を解決するために、浴槽および洗い場を洗浄可能なように配置された少なくとも１つの水噴出ノズル部および洗剤噴出ノズル部を有し、前記水噴出ノズル部および洗剤噴出ノズル部は揺動および回転可能な先端部を有し、前記先端部は回転軸に対してほぼ垂直な平面に設けた軌道部に沿って回転しながら揺動する構成とし、前記先端部は、ばねによって径方向に傾くように付勢されると共に突出部が設けられ、この先端部の周方に配置された軌道部に該突出部が当接して揺動するように構成したものである。
【０００７】
上記発明によれば、ノズル部の揺動および回転可能な先端部が軌道部に沿って方向を変えることが可能であるため、浴槽や洗い場等の洗浄される部分の形状に軌道部の形状を合わせれば、これらの方向に洗剤および水を噴出することができる。このため、浴槽や洗い場等の隅々まで洗浄することが可能となるものである。
【０００８】
【発明の実施の形態】
本発明は、浴室の壁面に設けられ、浴槽および洗い場を洗浄可能なように配置された少なくとも１つの水噴出ノズル部および洗剤噴出ノズル部を有し、前記水噴出ノズル部および洗剤噴出ノズル部は揺動および回転可能な先端部を有し、前記先端部は回転軸に対してほぼ垂直な平面に設けた軌道部に沿って回転しながら揺動する構成とし、前記先端部は、ばねによって径方向に傾くように付勢されると共に突出部が設けられ、この先端部の周方に配置された軌道部に該突出部が当接して揺動するように構成したものである。
【０００９】
そして、ノズル部の揺動および回転可能な先端部が軌道部に沿って方向を変えることが可能であるため、浴槽や洗い場等の洗浄される部分の形状に軌道部の形状を合わせれば、これらの方向に洗剤および水を噴出することができる。このため、浴槽や洗い場等の隅々まで洗浄することが可能となるものであり、また、軌道部の形状をより細かいものにして、隅々までの洗浄が可能となる。
【００１０】
更に、上記先端部と、先端部と共にモータにより回転される回転部材を支持する回転支持部材とを、該先端部が揺動しても水や洗剤が漏れないような弾性を有する接続ホースによりつないだ構成としたことも好ましい。
【００１１】
また、浴室の壁面の上部に設けられ、回転軸が斜め下方を向くような構成とすることも好ましく、これによると、装置の設置が容易であるとともに、効率的に洗剤および水を散布することが可能となる。
【００１２】
また、軌道部は浴槽および洗い場の形状に合わせて先端部が動くような形状にすることも好ましい。
【００１４】
さらに、軌道部を、交換可能な構成とすることも好ましく、これによると、浴室等の形状に応じて軌道部を選択し、様々の形状の浴室を洗浄することが可能となる。
【００１５】
また、突出部を前記先端部に対して回転自在に設け、該突出部は先端部の方向とほぼ平行な軸を中心として回転する構成とすることも好ましく、これによると、軌道部と突出部の間の摩擦が少なくなり、動作が確実になるものである。
【００１６】
そして、水噴出ノズル部は水を扇状に噴出するように構成し、扇の広がり方向を回転方向とほぼ垂直になるように構成することも好ましく、これによると、水が線状に出るので、汚れに対して強く当てることができると共に、ノズル部の回転によって広い範囲に散水することで隅々まで洗浄することが可能となる。
【００１７】
【実施例】
以下、本発明の実施例について、図面を参照して説明する。
【００１８】
（実施例１）
図１は本発明の実施例１の洗浄装置付き浴室の斜視図である。
【００１９】
図１において、浴室３は入浴するための空間であり、主として浴槽４、洗い場５、壁６、天井７、扉８から構成されている。９は洗浄装置であり、浴室の壁面の上部に設けられ、噴出ノズル部の回転軸が斜め下方を向くような構成になっている。１０は前記洗浄装置をコントロールする制御ボックス、１１は脱衣場に設けられたリモコン、１２は水の入口であり、水道管等とつないで水を洗浄装置に供給するためのものである。
【００２０】
図２は、洗浄装置９を拡大して示したものであり、水の噴出ノズル部１３と洗剤の噴出ノズル部１４とがそれぞれ２個ずつ設けられており、図３に示す如く回転軸２１が斜め下方を向くように構成されている。１５は水の逆流を防ぐ逆止弁、１６は水の通路を開閉する電磁弁であり、これによりノズル部１３からの散水を制御するものである。１７は洗剤のタンク、１８は洗剤のポンプであり、前記タンク１７から洗剤を吸い込み、加圧してノズル１４より噴出させるものである。
【００２１】
図３は水及び洗浄剤噴出ノズル部の拡大断面図、図４は拡大正面図を示す。１９はノズル駆動源となるモーター、２０はモーター１９によって回転させられる回転部材で、斜め下方を向いた回転軸２１に対して回転しながら揺動するように構成されている。２２は回転部材２０を支持する回転支持部材、２３と２４は水が漏れるのを防ぐためのシーリング材としてのＯリング、２５は洗剤の入口継ぎ手、２６は回転部材２０が抜けないようにする止め部材、２７は先端部であり、回転軸２１に対してほぼ垂直な平面に設けた軌道部２８の案内部となる溝３３(図４に示す)に沿って回転しながら揺動する構成としたものである（図３の想像線で示す）。２９は回転支持部材２２と先端部２７とをつなぐ接続ホースであり、先端部２７が揺動しても水や洗剤が漏れないように弾性を有している。３０は先端部２７の回転支持軸である。３１は先端部２７を径方向に傾くように付勢し、先端部２７が軌道部２８の溝３３に沿って揺動させるようにするものである。
【００２２】
次に動作について説明すると、電磁弁１６を開いて水を噴出すると、図５に示すように洗剤は洗剤の噴出ノズル部１４より噴出する。そして、モ−タ１９を作動させると、先端部は軌道部２８に沿って回転しながら揺動して、図のように浴槽の形状に沿って洗剤を噴霧することができる。この結果として、浴槽の隅々まで洗剤を噴霧することが可能となる。
【００２３】
また、浴室の壁面の上部に設けられ、回転軸が斜め下方を向くような構成としたことにより、装置の設置が容易であるとともに、効率的に洗剤および水を散布することが可能となる。
【００２４】
（実施例２）
さらに、図６に示すように、軌道部２８を、ノズルカバー部１４ａにビス等の統括手段２８ａを介して取付けることにより交換可能な構成とすることにより、浴室等の形状に応じて溝３３の異なる軌道部２８を選択し、様々の形状の浴室を洗浄することが可能となる。また、起動部２８の溝３３の形状を図７に示すようにすると浴槽が万遍なく洗浄され、図８のような形状にすると洗い場が万遍なく洗浄されるものである。
【００２５】
（実施例３）
そのうえ、図４に示すように先端部２７に突出部３６を設け、前記突出部３６と起動部の溝３３とが接触して揺動するように構成したことにより、突出部が小さいため軌道部の形状をより細かいものにして、隅々までの洗浄が可能となる。
【００２６】
（実施例４）
また、図９に示すように突出部３６自体を先端部の方向とほぼ平行な軸３８を中心として回転する構成としたことにより、軌道部の溝３３と突出部３６の間の摩擦が少なくなり、動作が確実になるものである。
【００２７】
（実施例５）
そして、図１０および図１１に示すように、水噴出ノズル部１３のノズル３４は３５に示すＶ型の溝により水を扇状に噴出するように構成し、扇の広がり方向を回転方向とほぼ垂直になるように構成したことにより、水がライン状に出るので、汚れに対して強く当てることができると共に、ノズル部の回転によって広い範囲に散水することで隅々まで洗浄することが可能となる。
【００２８】
【発明の効果】
以上の説明から明らかなように本発明の浴室の洗浄装置によれば、次の効果が得られる。
【００２９】
すなわち、浴室の壁面に設けられ、浴槽および洗い場を洗浄可能なように配置された少なくとも１つの水噴出ノズル部および洗剤噴出ノズル部を有し、前記水噴出ノズル部および洗剤噴出ノズル部は揺動および回転可能な先端部を有し、前記先端部は回転軸に対してほぼ垂直な平面に設けた軌道部に沿って回転しながら揺動する構成とし、前記先端部は、ばねによって径方向に傾くように付勢されると共に突出部が設けられ、この先端部の周方に配置された軌道部に該突出部が当接して揺動するように構成したものであるため、浴槽や洗い場等の洗浄される部分の形状に軌道部の形状を合わせれば、これらの方向に洗剤および水を噴出することができる。このため、浴槽や洗い場等の隅々まで洗浄することが可能となるものであり、また、軌道部の形状をより細かいものにして、隅々までの洗浄が可能となる。
【００３０】
更に、上記先端部と、先端部と共にモータにより回転される回転部材を支持する回転支持部材とを、該先端部が揺動しても水や洗剤が漏れないような弾性を有する接続ホースによりつないだ構成とすると、スムーズな動きでありながら水密性が確保できる。
【００３１】
また浴室の壁面の上部に設けられ、回転軸が斜め下方を向くような構成とすると、装置の配置が容易であるとともに、効率的に洗剤および水を散布することが可能となる。
【００３３】
さらに、軌道部を、交換可能な構成とすると、浴室等の形状に応じて軌道部を選択し、様々の形状の浴室を洗浄することが可能となる。
【００３４】
また、突出部を前記先端部に対して回転自在に設け、該突出部は先端部の方向とほぼ平行な軸を中心として回転する構成とすると、軌道部と突出部の間の摩擦が少なくなり、動作が確実になるものである。
【００３５】
そして、水噴出ノズル部は水を扇状に噴出するように構成し、扇の広がり方向を回転方向とほぼ垂直になるように構成すると、水が線状に出るので、汚れに対して強く当てることができると共に、ノズル部の回転によって広い範囲に散水することで隅々まで洗浄することが可能となる。
【図面の簡単な説明】
【図１】本発明の実施例１の形態による洗浄装置を浴室に設置した場合の斜視図
【図２】同実施例１の形態による洗浄装置の斜視図
【図３】同装置の噴出ノズル近傍を示す拡大断面図
【図４】同装置の噴出ノズルを示す拡大平面図
【図５】同装置を浴室に設置した場合の斜視図
【図６】本発明の実施例２の形態における洗浄装置の噴出ノズルを示す拡大断面図
【図７】同装置の第１実施例の軌道部を示す正面図
【図８】同装置の第２実施例の軌道部を示す正面図
【図９】本発明の実施例３の洗浄装置の噴出ノズルを示す拡大正面図
【図１０】本発明の実施例４の洗浄装置の噴出ノズルを示す拡大断面図
【図１１】同装置の噴出ノズルを示す拡大平面図
【符号の説明】
３  浴室
９  洗浄装置
１３  水噴出ノズル部
１４  洗剤噴出ノズル部
２１  回転軸
２７  先端部
２８  軌道部
２９  接続ホース
３３  溝（案内部）
【図１】
0004116697.tif 000002
【図２】
0004116697.tif 000003
【図３】
0004116697.tif 000004
【図４】
0004116697.tif 000005
【図５】
0004116697.tif 000006
【図６】
0004116697.tif 000007
【図７】
0004116697.tif 000008
【図８】
0004116697.tif 000009
【図９】
0004116697.tif 000010
【図１０】
0004116697.tif 000011
【図１１】
0004116697.tif 000012